(57)【要約】【課題】シングルタッチ入力に加えてマルチタッチ入力が可能な指示具を提供する。【解決手段】指示具１０は、タッチパネル８を接触または押圧して指示する指示部２８が棒状部材の一方の端部にそれぞれ形成された一対の把持部２０と、一対の把持部を近接または分離可能に案内する案内部２６と、一対の把持部２０に挟持され、案内部２６が案内する方向に沿って作用する弾性体２９と、一対の把持部２０が接した様態を保持する留め具２４と、を備える。【選択図】図１
2012150693.tif 000002
【特許請求の範囲】
【請求項１】
接触または押圧して指示する指示部が棒状部材の一方の端部にそれぞれ形成された一対の把持部と、
一対の前記把持部を近接または分離可能に案内する案内部と、
一対の前記把持部に挟持され、前記案内部が案内する方向に沿って作用する弾性体と、
一対の前記把持部が接した様態を保持する保持部と、を備えることを特徴とする指示具。
【請求項２】
請求項１に記載の指示具において、
前記棒状部材の他方の端部を中心として一対の前記把持部を回転可能に支持する支持部を備えることを特徴とする指示具。
【請求項３】
請求項１に記載の指示具において、
前記案内部は、一対の前記把持部を、対向状態を保ったまま近接または分離可能に案内することを特徴とする指示具。
【請求項４】
請求項１乃至３のいずれか１項に記載の指示具において、
前記弾性体は、前記案内部の案内に従って一対の前記把持部が接近した場合、一対の前記把持部を離す方向に復元力を発生させることを特徴とする指示具。
【請求項５】
請求項１乃至４のいずれか１項に記載の指示具において、
前記案内部は、一対の前記把持部が接した場合、前記把持部から突出しないように収納可能であることを特徴とする指示具。
【請求項６】
請求項１乃至５のいずれか１項に記載の指示具において、
前記指示部は、被指示面と接する金属製の刷毛および球体の何れかを備えることを特徴とする指示具。
【請求項７】
タッチパネルを介して情報を入力する情報処理装置であって、
請求項１乃至６のいずれか１項に記載の指示具を備えることを特徴とする情報処理装置。
【発明の詳細な説明】
【技術分野】
【０００１】
本発明は、指示具および情報処理装置に関する。
【背景技術】
【０００２】
コンピューター等の情報処理装置に対する座標入力装置の１つとしてタッチパネルを介した入力装置がある。このような入力装置は、座標入力装置としての機能を有する透明なタッチパネル面と、このタッチパネル面の背後に設けられ、タッチパネル面の方向に向けて画像を表示する表示手段とを有する。ユーザーは、下記特許文献１に示すような入力具や指でシングルタッチ、即ち、タッチパネル上の１つの領域を押圧することで、コンピューターに対して座標入力を行うことができると共に、タッチパネルを介して表示手段が表示する画面を閲覧することもできる。
【先行技術文献】
【特許文献】
【０００３】
【特許文献１】特開２００８−１７６７２０号公報
【発明の概要】
【発明が解決しようとする課題】
【０００４】
ところで、近年、ｉＰｈｏｎｅ（登録商標）等に代表されるように、ユーザーがタッチパネルに対してピンチ動作等のマルチタッチ入力が可能な情報処理装置が普及している。
しかしながら、特許文献１に示すような入力具は指示部が１つであり、マルチタッチ入力に対応していないため、ユーザーは自身の指で入力する必要があり、入力操作を繰り返すうちにタッチパネル面は指脂等で汚れ、タッチパネル面を視認しにくくなったり、マルチタッチ入力を滑らかに行うことができなくなった。従って、ユーザーはタッチパネル面に対して定期的なクリーニングを行う必要があった。
そこで本発明は、前記課題に鑑みてなされたものであり、シングルタッチ入力に加えてマルチタッチ入力が可能な指示具を提供することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる指示具は、接触または押圧して指示する指示部が棒状部材の一方の端部にそれぞれ形成された一対の把持部と、一対の前記把持部を近接または分離可能に案内する案内部と、一対の前記把持部に挟持され、前記案内部が案内する方向に沿って作用する弾性体と、一対の前記把持部が接した様態を保持する保持部と、を備えることを特徴とする。
【０００７】
このような構成によれば、一対の把持部は、案内部に案内されて接したり離れたりするため、一対の把持部が接した様態では指示部はシングルタッチ入力を行い、一対の把持部が離れた様態では指示部はマルチタッチ入力を行うことができる。更に、シングルタッチ入力時には、接した一対の把持部が保持部により保持され、マルチタッチ入力時には、弾性体の復元力で把持部を案内する方向に指示部を容易に移動させることができる。
【０００８】
［適用例２］
上記適用例にかかる指示具において、前記棒状部材の他方の端部を中心として一対の前記把持部を回転可能に支持する支持部を備えても良い。
【０００９】
［適用例３］
上記適用例にかかる指示具において、前記案内部は、一対の前記把持部を、対向状態を保ったまま近接または分離可能に案内しても良い。
【００１０】
［適用例４］
上記適用例にかかる指示具において、前記弾性体は、前記案内部の案内に従って一対の前記把持部が接近した場合、一対の前記把持部を離す方向に復元力を発生させても良い。
【００１１】
［適用例５］
上記適用例にかかる指示具において、前記案内部は、一対の前記把持部が接した場合、前記把持部から突出しないように収納可能であることを特徴とする。
【００１２】
このような構成によれば、指示具の収納や携帯が容易になる。
【００１３】
［適用例６］
上記適用例にかかる指示具において、前記指示部は、被指示面と接する金属製の刷毛および球体の何れかを備えることを特徴とする。
【００１４】
このような構成によれば、タッチパネルの入力精度が向上する。
【００１５】
［適用例７］
タッチパネルを介して情報を入力する情報処理装置に対して、上述した指示具を用いて情報を入力することにより、タッチパネルを指で触れることなくシングルタッチ入力およびマルチタッチ入力を１本の指示具で行うことができる。
【図面の簡単な説明】
【００１６】
【図１】本発明の実施形態１に係る指示具の外観を示す図。
【図２】案内部を伸ばした様態を示す図。
【図３】留め具による係着を解除した様態を示す図。
【図４】本発明の実施形態２に係る指示具の外観を示す図。
【図５】案内部を伸ばした様態を示す図。
【図６】留め具による係着を解除した様態を示す図。
【図７】指示部の先端部の変形例を示す図。
【発明を実施するための形態】
【００１７】
以下、タッチパネル面に触れて指示する指示具について図面を参照して説明する。
【００１８】
（実施形態１）
図１は、指示具１０の外観を示す図であり、（Ａ）は正面を示し、（Ｂ）は側面を示す。この指示具１０はユーザーにより把持され、被指示面である情報処理装置５のタッチパネル８上の１つの指示領域を指示部２８で押圧して指示する際（シングルタッチ入力）に使用される。尚、この図１では、指示具１０はスタイラスペンのように一本に一体化した様態を示している。
指示具１０は、一対の把持部（２０Ａ，２０Ｂ）と、支持部２２と、案内部２６と、弾性体２９と、留め具２４と、を備える。
把持部（２０Ａ，２０Ｂ）は、それぞれの一方の端部に指示部２８が形成された２本の棒状部材で構成され、材質は限定されないが、タッチパネル８が静電容量方式の場合には導電体が好ましい。尚、指示具１０が一体化した様態を示している際には、指示部２８も一体化した様態を示す。
支持部２２は、棒状部材の他方の端部を中心として一対の把持部（２０Ａ，２０Ｂ）を回転可能に支持する。
【００１９】
案内部２６は、一方の把持部２０Ａに対して他方の把持部２０Ｂが支持部２２の回転軸を中心に回転する場合に回転を案内する。この案内部２６は、指示部２８が一体化した様態である場合、指示部２８方向に折り曲げることで、先端が突出することなく収納が可能であり、図１は案内部２６が折り曲げられた様態を示している。また、図２は、案内部２６が伸ばされた様態を示している。案内部２６の端部には、他方の把持部２０Ｂの回転の終端を規定するストッパー２５が設けられている。また、図示は略すが、他方の把持部２０Ｂには、案内部２６が案内可能な貫通した長穴が形成されている。
留め具２４は、一方の把持部２０Ａに設置され、他方の把持部２０Ｂを係着することで他方の把持部２０Ｂの回転を規制し、指示部２８が一体化した様態を保持する（保持部）。
指示部２８は、タッチパネル８を指示する際に所望の領域を確実に接触すべく、タッチパネル８と接触する先端部の面積が狭くなるように形成されている。また、先端部をタッチパネル８上で滑らせた場合、なめらかに滑るように摩擦係数が小さい材質が使用されている。
【００２０】
弾性体２９は、一対の把持部（２０Ａ，２０Ｂ）に挟まれて支持されている。この弾性体２９は、案内部２６の案内方向に沿って作用する。この弾性体２９は、バネやゴム等の弾性部材を想定する。本実施形態１では、圧縮させると復元力を発生する圧縮バネのようなコイルバネを想定する。また、弾性体２９は、案内部２６を巻き込むように配置され、人間の握力により容易に収縮可能な特性を有すると共に、一対の把持部（２０Ａ，２０Ｂ）が一体化した様態であってもバネが外部に突出しないように構成されている。
尚、弾性体２９は、ピンセットのように板バネで案内部２６を構成することで、案内部２６と弾性体２９を１つにまとめた様態も想定できる。
図３は、留め具２４による係着を解除した様態を示す図である。指示部２８が一体化した様態で留め具２４による係着を解除した場合、弾性体２９の作用により、他方の把持部２０Ｂは、案内部２６に従って一方の把持部２０Ａから離れる方向に回転し、他方の把持部２０Ｂはストッパー２５と接した様態で止まる。この結果、一対の把持部（２０Ａ，２０Ｂ）は所定の角度で開いた様態になり、指示部２８は２つに分離される。
【００２１】
ユーザーは、図３のように一対の把持部（２０Ａ，２０Ｂ）が開いた様態の指示具１０を把持し、一対の把持部（２０Ａ，２０Ｂ）を閉じる方向に力を加えることで所定角度だけ閉じ、情報処理装置５のタッチパネル８上に所定領域をそれぞれの指示部２８で押圧した後、加えた力を解除する。この結果、弾性体２９の復元力により一対の把持部（２０Ａ，２０Ｂ）は所定角度だけ開き、これに伴い、それぞれの指示部２８はタッチパネル８上を互いに遠ざかる方向に滑って移動する。この結果、情報処理装置５の制御部（図示は略す。）は、タッチパネル８上の指示領域に対してピンチ動作が実行されたと認識し、例えば、タッチパネル８上での２つの指示部２８の移動量に応じて、タッチパネル８に表示している画像等の拡大処理を実行する。
【００２２】
尚、本実施形態１では、弾性体２９は圧縮させることで発生する復元力を用いたが、端部を一対の把持部（２０Ａ，２０Ｂ）にそれぞれ固定した引っ張りバネのように、引っ張ることで発生する復元力も用いても良い。即ち、図３のような様態で、他方の把持部２０Ｂがストッパー２５と接しない状態で安定するような弾性体２９を採用する。ユーザーは一対の把持部（２０Ａ，２０Ｂ）を開く方向に力を加えることで所定角度だけ開き、指示部２８をそれぞれ情報処理装置５のタッチパネル８上に接触させた後、加えた力を解除することができる。
この結果、弾性体２９の復元力により一対の把持部（２０Ａ，２０Ｂ）はタッチパネル８上で所定角度だけ閉じ、これに伴い、それぞれの指示部２８はタッチパネル８上を互いに近づく方向に滑って移動する。この結果、情報処理装置５の制御部（図示は略す。）は、タッチパネル８上の指示領域に対してピンチ動作が実行されたと認識し、例えば、タッチパネル８上での２つの指示部２８の移動量に応じて、タッチパネル８に表示している画像等の縮小処理を実行する。
【００２３】
以上述べた実施形態１によれば、以下のような効果を奏する。
（１）ユーザーは指示具１０を使うことで、自身の指をタッチパネル８に触れることなくマルチタッチ入力を行うことができるため、タッチパネル８が指脂等により汚れることを回避できる。
（２）一対の把持部（２０Ａ，２０Ｂ）は弾性体２９の復元力で移動できるため、タッチパネル８上でスムーズなピンチ動作を行うことができる。
（３）指示具１０の留め具２４を使うことで、シングルタッチ入力およびマルチタッチ入力の何れも対応できる。
（４）シングルタッチ入力時には、案内部２６を折り曲げることができるため、指示具１０の収納や携帯が容易になる。
【００２４】
（実施形態２）
次に、本発明の実施形態２について、図４、図５および図６を参照して説明する。尚、以下の説明では、既に説明した部分と同じ部分については、同一符号を付してその説明を省略する。
実施形態１では、指示具１０は、一対の把持部（２０Ａ，２０Ｂ）を回転可能に支持する支持部２２を備えることにより、一対の把持部（２０Ａ，２０Ｂ）は支持部２２を中心に回転することにより開閉したが、実施形態２では、他方の把持部２０Ｂは一方の把持部２０Ａに対して平行状態を維持して移動する。
【００２５】
図４は、指示具１０の外観を示す図であり、（Ａ）は正面を示し、（Ｂ）は側面を示す。尚、この図４では、指示部２８は一体化された様態を示している。
指示具１０は、把持部（２０Ａ，２０Ｂ）と、一方の把持部２０Ａに対して他方の把持部２０Ｂが移動する場合、移動方向を案内する２つの案内部（２６Ａ，２６Ｂ）と、端部が一対の把持部（２０Ａ，２０Ｂ）にそれぞれ固定され、案内部（２６Ａ，２６Ｂ）の周囲にそれぞれ配置されて案内部（２６Ａ，２６Ｂ）の案内方向に抗して作用する弾性体（２９Ａ，２９Ｂ）と、留め具２４と、を備える。
案内部（２６Ａ，２６Ｂ）は、指示部２８が一体化した様態である場合、それぞれが離れ合う方向に折り曲げ可能であり、図４は案内部（２６Ａ，２６Ｂ）が折り曲げられた様態を示している。また、図５は、案内部（２６Ａ，２６Ｂ）が伸ばされた様態を示している。案内部（２６Ａ，２６Ｂ）の端部には、他方の把持部２０Ｂの移動の終端を規定するストッパー（２５Ａ，２５Ｂ）が設けられている。
【００２６】
弾性体（２９Ａ，２９Ｂ）は、圧縮バネのように圧縮させることで発生する復元力を用いる。尚、これらの弾性体（２９Ａ，２９Ｂ）は、人間の握力により容易に収縮可能な特性を有する。
図６は、留め具２４による係着を解除した様態を示す図である。指示部２８が一体化した様態で留め具２４による係着を解除した場合、弾性体（２９Ａ，２９Ｂ）の作用により、他方の把持部２０Ｂは、案内部（２６Ａ，２６Ｂ）に従って、一方の把持部２０Ａと対向状態を維持したまま離れるように移動し、他方の把持部２０Ｂはストッパー（２５Ａ，２５Ｂ）と接した様態で止まる。この結果、一対の把持部（２０Ａ，２０Ｂ）は所定の間隔で離れた様態になり、指示部２８は２つに分離される。
【００２７】
ユーザーは、図６のように一対の把持部（２０Ａ，２０Ｂ）が離れた様態の指示具１０を把持し、一対の把持部（２０Ａ，２０Ｂ）を近づける方向に力を加えることで所定間隔だけ近づき、指示部２８をそれぞれ情報処理装置５のタッチパネル８上に接触させた後、加えた力を解除することができる。この結果、弾性体（２９Ａ，２９Ｂ）の復元力により一対の把持部（２０Ａ，２０Ｂ）はタッチパネル８上で離れる方向に所定量だけ移動し、情報処理装置５の制御部（図示は略す。）は、タッチパネル８上の指示領域に対してピンチ動作が実行されたと認識し、例えば、タッチパネル８上での指示部２８の移動量に応じて、タッチパネル８に表示している画像等の拡大処理を実行する。
本実施形態２では、実施形態１と同様な効果を奏することができる。
【００２８】
以上、添付図面を参照しながら好適な実施形態について説明したが、好適な実施形態は、実施形態１および実施形態２に限らない。実施形態は、要旨を逸脱しない範囲内において種々変更を加え得ることは勿論であり、以下のように実施することもできる。
【００２９】
（変形例１）
被指示領域を有するタッチパネル８に対する入力精度を向上させるべく、図７の（Ａ）に示すように、指示部２８の先端部には所定の長さを有する金属製の刷毛３０が設けられた様態でもよい。また、図７の（Ｂ）に示すように、指示部２８の先端部には、自在に回転可能な金属製のボール３５が埋設され、ボール３５の一部がタッチパネル８と接触可能に露出した様態でも良い。これらの様態により、指示部２８が被指示領域に接触または押圧した場合、タッチパネル８の認識率を向上させることができる。
【符号の説明】
【００３０】
５…情報処理装置、８…タッチパネル、１０…指示具、２０，２０Ａ，２０Ｂ…把持部、２２…支持部、２４…留め具、２５，２５Ａ，２５Ｂ…ストッパー、２６，２６Ａ，２６Ｂ…案内部、２８…指示部、２９，２９Ａ，２９Ｂ…弾性体、３０…刷毛、３５…ボール。
【図１】
2012150693.tif 000003
【図２】
2012150693.tif 000004
【図３】
2012150693.tif 000005
【図４】
2012150693.tif 000006
【図５】
2012150693.tif 000007
【図６】
2012150693.tif 000008
【図７】
2012150693.tif 000009